(57)【特許請求の範囲】
【請求項１】
少なくとも一部に透光性を持たせた発光体収納部を有する釣り用ケースであって、
上記発光体収納部の少なくとも発光体を出入れする出入口領域を柔軟性を有する材料で成形し、
上記出入口を、弾性変形によって開口する切込みで形成したことを特徴とする釣り用ケース。
【請求項２】
発光体収納部全体及び当該発光体収納部の取付部を、夫々、柔軟性を有する材料で成形したことを特徴とする請求項１記載の釣り用ケース。
【請求項３】
切込みに、発光体の一端側を挿入させる挿入孔を設けたことを特徴とする請求項１または請求項２記載の釣り用ケース。
【発明の詳細な説明】
【０００１】
【発明の属する技術分野】
本発明は釣り用ケースに係り、詳しくは夜釣り等でケース自体の所在が一目で把握できる発光体（化学発光体）を装備できる釣り用ケースに関する。
【０００２】
【従来の技術】
特開２００１−１０３８９４号公報に開示されるように、夜釣り等を行う際に、自分の荷物の置き場所が解らなくならないように釣り用ケースに発光体を着脱自在に取り付けたものが知られている。
図１７は上記特開２００１−１０３８９４号公報に開示された釣り用ケース（釣り用ウエストポーチ）を示し、図１７及び図１８に示すようにこの魚釣用リール１は、ケース本体３の蓋体５に透光部をなす貫通孔７を形成すると共に、蓋体３の内側（裏面側）に、貫通孔７を覆って透明なビニールの如き透光性を有する材料で成形したポケット状の収納部（以下、「収納部」という）９を設けたもので、その一端側の開口部１１から収納部９内に棒状の発光体１３を挿入できるようになっている。
【０００３】
尚、発光体１３は、化学発光する物質（例えば、シュウ酸エステルと酸化剤）を合成樹脂製の円柱状のカプセルに密封して、使用時にこれらを混合させるようにしたもので、日本化学発光株式会社製の「ケミホタル」が広く知られている。
【０００４】
【発明が解決しようとする課題】
しかし乍ら、上記収納部９は一端側が開口するポケット形状であるため、発光体１３を差し込むと開口部１１が開いた状態となって発光体１３が抜け落ち易く、また、発光体１３のサイズ（長さ）が短いと収納部９の奥に入り込んでしまって取り出し難く、更にまた、サイズが長いと開口部１１から突出して十分な保持ができずに脱落し易いといった欠点が指摘されている。
【０００５】
また、発光体１３の太さ（径）如何によっては収納部９に挿入することが難しく、これらに対する対応が望まれていた。
本発明は斯かる実情に鑑み案出されたもので、発光体の大きさに左右されることなく発光体の確実な保持を図り、併せて発光体の容易な着脱を可能とした釣り用ケースを提供することを目的とする。
【０００６】
【課題を解決するための手段】
斯かる目的を達成するため、請求項１に係る発明は、少なくとも一部に透光性を持たせた収納部を有する釣り用ケースであって、上記収納部の少なくとも発光体を出入れする出入口領域を柔軟性を有する材料で成形し、上記出入口を、弾性変形によって開口する切込みで形成したことを特徴とする。
【０００７】
斯かる構成によれば、切込みに向かって発光体を押し込むことで、切込みの両辺が内方へ変形して発光体が収納部内にこじ入れられることとなる。そして、斯様に発光体を収納部内にこじ入れて切込みの両辺に外力が加わらなくなると、切込みの両辺が元の形状に戻って出入口を閉塞する。
これにより、収納した発光体が収納部内で移動しても、出入口は切込みの両辺により閉じられているので、発光体が出入口から外に飛び出すことがないし、或る程度発光体の長さや太さが変わっても、同様の手順で発光体を収納部に収納することが可能である。
【０００８】
そして、収納部を介して発光体の光が確認できるため、釣人は夜釣り等で自分の釣り用ケースを容易に見つけることができるし、切込みの両辺を変形させて出入口を開口させれば、発光体が収納部から取り出せることとなる。
また、請求項２に係る発明は、請求項１記載の釣り用ケースに於て、収納部全体及び当該収納部の取付部を、夫々、柔軟性を有する材料で成形したことを特徴とする。
【０００９】
而して、斯かる構成によれば、発光体の収納時に収納部とその取付部を折り曲げて変形させることで出入口が開口し、また、発光体の取出し時にこれらを変形させれば、出入口から発光体が突出することとなる。
そして、請求項３に係る発明は、請求項１または請求項２記載の釣り用ケースに於て、切込みに発光体の一端側を挿入させる挿入孔を設けたことを特徴とする。
【００１０】
斯かる構成によれば、発光体の収納時に、発光体の一端側を挿入孔に挿入することで切込みの両辺が変形するので、単に切込みによって出入口を設けた場合に比し発光体を容易に収納部に収納できることとなる。
【００１１】
【発明の実施の形態】
以下、本発明の実施形態を図面に基づき説明する。
【００１２】
図１乃至図８は請求項１乃至請求項３に係る発明を釣り用バケツに適用した第一実施形態を示し、図１に於て、１５はエチレン酢酸ビニル，塩化ビニル等の合成樹脂からなる柔軟なシート材の端部を溶着や接着して成形した防水性を有するバケツ本体で、図２に示すようにバケツ本体１５は方形状に成形されて上部が開口し、開口部１７の一側に、バケツ本体１５と同一材料で成形された蓋体１９がヒンジ部材２１を介して連結されている。
【００１３】
そして、一対の運搬用のハンドル２３がバケツ本体１５の前側面２５と後側面２７の外側に取り付けられているが、バケツ本体１５の側面の上部、即ち、前，後側面２５，２７と左右側面２９，３１を構成するシート材の上部は、金属や合成樹脂で成形された平面視矩形状のフレーム（図示せず）で外側に折り返されて開口部１７の開口周縁部を形成しており、夫々の折返し片３３は、端部（周縁部）を除き各側面２５，２７，２９，３１の外側にウエルダ加工によって接合されている。そして、各折返し片３３の端部と、蓋体１９の周縁部との間にファスナ３５が縫着されており、ファスナ３５の操作部（図示せず）をヒンジ部材２１側へ移動させると、蓋体１９が開いて開口部１７が開くようになっている。そして、図１に示すように既述したヒンジ部材２１は右側面３１の折返し片３３と蓋体１９との間に取り付けられているため、ハンドル２３が邪魔にならずに蓋体１９を開くことができ、また、上記フレームによってバケツ本体１５の自立性，強度アップと開口部１７の形状保持が図られている。
【００１４】
而して、本実施形態に係る釣り用バケツ３７は、上述の如き構成に加え、図２以下に示すように蓋体１９の内側（裏面側）３９に発光体１３の収納部４１を装着したことを特徴とする。
図３は収納部４１の全体斜視図を示し、収納部４１は透明で可撓性を有する柔軟な合成樹脂製のシート材を筒状に成形し、これを適当な長さに切断して蓋体１９の内側３９に溶着した１個の収納体４３によって形成されており、当該収納体４３を蓋体１９の内側３９に溶着するに当たり、先ず、その両端下部を長手方向にＶ字状に切り欠き、この後、収納体４３の両端上部を蓋体１９の内側３９に押し付けて、図３及び図４の如く当該部位が内側３９に溶着される。
【００１５】
次いで、後述する挿入孔４５から図示しない溶着治具で収納体４３の中央下部を内側３９に溶着して、収納体４３が内側３９に止着されており、図３，図４中、４７，４９，５１が、夫々、溶着による収納体４３の止着部を示す。
【００１６】
そして、図４に示すように収納体４３の両端側の下部には、既述した略Ｖ字状の切り欠きの先端側を残して水抜き孔５３，５５が形成されている。
また、図３に示すように収納体４３の上面には、その長手方向に沿って中央に平面視楕円形状の挿入孔４５が開口する一本のストレート形状の切込み５７が設けられており、この挿入孔４５と切込み５７によって発光体１３を収納体４３に出入れさせる出入口５９が形成されている。
【００１７】
そして、切込み５７に沿った収納体４３の両辺６１，６３は間隙なく対向して出入口５９を塞ぎ、両辺６１，６３を抉って形成した挿入孔４５に図５の如く発光体１３の一端側が差し込めるようになっている。
その他、図３中、６５は夫々切込み５７の両端側に設けた補助孔で、両補助孔６５を設けたことで、切込み５７の両辺６１，６３が変形し易くなって出入口５９が広く開口するようになっている。
【００１８】
本実施形態に係る釣り用バケツ３７の収納部４１はこのように構成されており、当該収納部４１への発光体１３の取付けは、先ず、図２の如くファスナ３５の操作部をヒンジ部材２１側へ移動させて蓋体１９を開き、収納部４１が取り付く蓋体１９の内側３９を上方に向ける。
そして、図５に示すように挿入孔４５に発光体１３の一端側を挿入する。
【００１９】
この時、蓋体１９と共に収納体４３を折り曲げると切込み５７（出入口５９）が開くので、図６の如く切込み５７に向かって発光体１３の他端側を押し込めば、切込み５７の両辺６１，６３が収納体４３の内方へ変形して、発光体１３の他端側が収納体４３内にこじ入れられることとなる。
尚、蓋体１９と収納体４３を折り曲げなくても、挿入孔４５に発光体１３の一端側を挿入した後、切込み５７に向かって発光体１３の他端側を押し込んでも、切込み５７の両辺６１，６３が収納体４３の内方へ変形するため、発光体１３の他端側を収納体４３内にこじ入れることが可能である。
【００２０】
而して、斯様に発光体１３を収納体４３内にこじ入れて切込み５７の両辺６１，６３に外力が加わらなくなると、収納体４３の材質から両辺６１，６３が図３及び図７に示すように元の形状に戻って出入口５９を閉塞する。
これにより、収納した発光体１３が収納体４３（収納部４１）内で移動しても、出入口５９は両辺６１，６３により閉じられているので、発光体１３が出入口５９から外に飛び出すことがないし、或る程度発光体１３の長さや太さが変わっても、これらを収納体４３内に収納することが可能である。
【００２１】
そして、発光体１３の発光により、釣人はその光を透明な収納体４３を通して確認できるため、夜釣り等でも釣り用バケツ３７の位置が確認できるし、収納体４３内に雨水や海水が浸入しても、水抜き孔５３から排水されることとなる。
また、発光体１３の取り出しは、切込み５７の両辺６１，６３を手で開いてもよいが、図８の如く蓋体１９と収納体４３を折り曲げて発光体１３を出入口５９から突出させれば、発光体１３を容易に取り出せることとなる。
【００２２】
そして、発光体１３の長さや太さが変わっても、上述した方法によって発光体１３の脱着が容易に行われる。
従って、本実施形態によれば、夜釣り等で自分の釣り用バケツ３７を容易に見つけることができることは勿論、発光体１３の大きさ（長さや太さ）に左右されることなく発光体１３の確実な保持を図り、併せて釣り用バケツ３７に対し発光体１３の容易な着脱が可能となった。
【００２３】
而も、本実施形態は、切込み５７の中央に挿入孔４５を設けたため、図５の如く挿入孔４５に発光体１３の一端側を挿入することで切込み５７の両辺６１，６３を変形させ易く、この結果、単に切込み５７を設けた場合に比し発光体１３を容易に収納体４３（収納部４１）内に収納できる利点を有する。
尚、上記実施形態では、収納体４３を蓋体１９の内側３９に溶着したが、図９に示すように収納体４３の両端側と内側３９に、夫々、一対の雄雌のベルベット式ファスナ６７，６９等の止着具を取り付けて、蓋体１９の内側３９に対し収納体４３を着脱自在にしてもよい。
【００２４】
而して、この請求項１乃至請求項３の第二実施形態に係る収納部４１-1を設けた釣り用バケツによっても、上記実施形態と同様、所期の目的を達成することが可能である。
図１０乃至図１５は請求項１乃至請求項３に係る発明を釣り用バケツに適用した第三実施形態を示し、以下、本実施形態を図面に基づき説明するが、収納部を除く釣り用バケツ自体の構成は図１と同様であるため、同一のものには同一符号を付してそれらの説明は省略する。
【００２５】
図１０に於て、７１は蓋体１９の内側３９に装着された収納部で、本実施形態の収納部７１は、図１１の如く外側に僅かに湾曲した透明で可撓性を有する柔軟な合成樹脂製の上面シート７３からなり、図１２に示すように当該上面シート７３は矩形状に裁断されて、周縁部全体が透光性を有しない蓋体１９の内側３９に溶着されている。
【００２６】
そして、上面シート７３の中央には、既述した切込み５７と挿入孔４５，補助孔６５からなる出入口５９と同一形状の出入口５９が長手方向に沿って設けられており、この出入口５９から発光体１３を上面シート７３内に出入れできるようになっている。
本実施形態に係る釣り用バケツ３７-1の収納部７１はこのように構成されており、当該収納部７１への発光体１３の取付けは、先ず、図１０の如くファスナ３５の操作部をヒンジ部材２１側へ移動させて蓋体１９を開き、収納部７１が取り付く蓋体１９の内側３９を上方に向ける。
【００２７】
そして、図１２に示すように挿入孔４５に発光体１３の一端側を挿入する。
この時、図１の実施形態と同様、蓋体１９と共に上面シート７３を折り曲げると切込み５７（出入口５９）が開くので、図１３の如く切込み５７に向かって発光体１３の他端側を押し込めば、切込み５７の両辺７５，７７が上面シート７３の内方へ変形して、発光体１３の他端側が上面シート７３内にこじ入れられることとなる。
【００２８】
尚、蓋体１９と上面シート７３を折り曲げなくても、挿入孔４５に発光体１３の一端側を挿入した後、切込み５７に向かって発光体１３の他端側を押し込んでも、切込み５７の両辺７５，７７が上面シート７３の内方へ変形するため、発光体１３の他端側を上面シート７３内にこじ入れることが可能である。
而して、斯様に発光体１３を斯様にこじ入れて切込み５７の両辺７５，７７に外力が加わらなくなると、上面シート７３の材質から両辺７５，７７が図１４に示すように元の形状に戻って出入口５９を閉塞する。
【００２９】
これにより、収納した発光体１３が上面シート７３（収納部７１）内で移動しても、出入口５９は両辺７５，７７により閉じているので、発光体１３が出入口５９から外に飛び出すことがないし、或る程度発光体１３の長さや太さが変わっても、これらを収納部７１内に収納することが可能となる。
この結果、発光体１３の発光により、釣人はその光を透明な上面シート７３を通して確認できるため、夜釣り等でも釣り用バケツ３７-1の位置が確認できることとなる。
【００３０】
また、発光体１３の取り出しは、切込み５７の両辺７５，７７を手で開いてもよいし、図１５の如く蓋体１９と上面シート７３を折り曲げて発光体１３を出入口５９から突出させても発光体１３を容易に取り出せることとなる。
そして、発光体１３の長さや太さが変わっても、上述した方法によって発光体１３の脱着が容易に行われる。
【００３１】
従って、本実施形態によっても、夜釣り等で自分の釣り用バケツ３７-1を容易に見つけることができることは勿論、発光体１３の大きさに左右されることなく発光体１３の確実な保持を図り、併せて釣り用バケツ３７-1に対し発光体１３の容易な着脱が可能となった。
【００３２】
而も、本実施形態も、切込み５７の中央に挿入孔４５を設けたため、図１２の如く挿入孔４５に発光体１３の一端側を挿入することで切込み５７の両辺７５，７７を容易に変形させ易く、この結果、単に切込み５７を設けた場合に比し発光体１３を容易に上面シート７３（収納部７１）内に収納できる利点を有する。
尚、上記各実施形態では、切込み５７をストレート形状に成形したが、棒状の発光体１３に対し、図１６の如く切込み５７-1を例えばＳ字状に成形すれば、収納部７１-1に収納した発光体１３の飛び出しをより確実に防止することが可能となる。
【００３３】
また、収納部は蓋体の表面やバケツ本体の側面，底面等、他の部位に装着してもよいし、釣り用バケツ以外に餌箱，タックルケース，釣り用バッグ等、様々な釣り用ケースに実施することができる。そして、切込みの両辺は僅かな間隙が開くように設けても良い。
更にまた、上記収納体４３，上面シート７３は透明であるが、透光性を有していれば必ずしも透明である必要はなく、色彩を有していたりメッシュ状等複数の小孔を有するものでもよいし、収納部の少なくとも出入口領域を透光性，可撓性を有する材料で成形して、その他の部位を硬質で非透光性の合成樹脂材で成形してもよい。
【００３４】
而して、これらの変形例によっても、上述した各実施形態と同様、所期の目的を達成することが可能である。
【００３５】
【発明の効果】
以上述べたように、請求項１に係る発明によれば、発光体の光により、夜釣り等で自分の釣り用ケースを容易に見つけることができることは勿論、発光体の大きさに左右されることなく発光体の確実な保持を図り、併せて釣り用ケースに対し発光体の容易な着脱が可能となった。
【００３６】
また、請求項２に係る発明によれば、発光体の収納時に収納部とその取付部を折り曲げて変形させることで出入口が開口するため、発光体の収納が容易であるし、取出し時にこれらを変形させれば出入口から発光体が突出するため、発光体の出入れが更に容易となる。
そして、請求項３に係る発明によれば、切込みに挿入孔を設けた結果、挿入孔に発光体の一端側を挿入することで切込みの両辺を容易に変形させ易くなるため、単に切込みによって出入口を設けた場合に比し、発光体を容易に収納部に収納できる利点を有する。
【図面の簡単な説明】
【図１】請求項１乃至請求項３の第一実施形態に係る釣り用バケツの全体斜視図である。
【図２】蓋体を開いた釣り用バケツの全体斜視図である。
【図３】収納部の拡大斜視図である。
【図４】図３に示す収納部の拡大断面図である。
【図５】挿入孔に発光体の一端側を挿入した状態を示す収納部の拡大斜視図である。
【図６】切込み内に発光体を押し込んだ状態を示す収納部の拡大斜視図である。
【図７】発光体を収納した収納部の拡大断面図である。
【図８】発光体の取り出し状態を示す収納部の拡大断面図である。
【図９】請求項１乃至請求項３の第二実施形態に於ける収納部の拡大断面図である。
【図１０】蓋体を開いた請求項１乃至請求項３の第三実施形態に係る釣り用バケツの全体斜視図である。
【図１１】収納部の拡大断面図である。
【図１２】挿入孔に発光体の一端側を挿入した状態を示す収納部の拡大斜視図である。
【図１３】切込み内に発光体を押し込んだ状態を示す収納部の拡大斜視図である。
【図１４】発光体を収納した収納部の拡大断面図である。
【図１５】発光体の取り出し状態を示す収納部の拡大断面図である。
【図１６】請求項１乃至請求項３の他の実施形態に於ける収納部の拡大斜視図である。
【図１７】従来の釣り用ケースの全体斜視図である。
【図１８】図１７のXVIII−XVIII線断面図である。
【符号の説明】
１３  発光体
１５  バケツ本体
１９  蓋体
３５  ファスナ
３７，３７-1  釣り用バケツ
４１，４１-1，７１，７１-1  収納部
４３  収納体
４５  挿入孔
５３，５５  水抜き孔
５７，５７-1  切込み
５９  出入口
７３  上面シート
【図１】
0003708882.tif 000002
【図２】
0003708882.tif 000003
【図３】
0003708882.tif 000004
【図４】
0003708882.tif 000005
【図５】
0003708882.tif 000006
【図６】
0003708882.tif 000007
【図７】
0003708882.tif 000008
【図８】
0003708882.tif 000009
【図９】
0003708882.tif 000010
【図１０】
0003708882.tif 000011
【図１１】
0003708882.tif 000012
【図１２】
0003708882.tif 000013
【図１３】
0003708882.tif 000014
【図１４】
0003708882.tif 000015
【図１５】
0003708882.tif 000016
【図１６】
0003708882.tif 000017
【図１７】
0003708882.tif 000018
【図１８】
0003708882.tif 000019